(57)【特許請求の範囲】
【請求項１】
標本を載置する標本台と、
前記標本の観察像を結像する光学系と、
前記光学系が結像した像を撮像し、画像データを生成する撮像部と、
前記撮像部が生成した前記画像データに、所定のファイル名を付与して記憶する記憶部と、
前記標本台上の前記標本の有無を検出する標本検出部と、
前記ファイル名に付与する識別子を生成する識別子生成部と、
電源がオフされた場合、または前記標本検出部から前記標本台上に前記標本が載置されていない旨の出力信号を受信した場合に、前記記憶部に記憶された同一標本の画像ファイルのファイル名を、前記識別子生成部が生成した同一の前記識別子を付与したファイル名に変更する制御を行う制御部と、
を備えることを特徴とする顕微鏡システム。
【請求項２】
前記撮像部が生成した画像データから特性値を計測する計測部をさらに備え、
前記記憶部は、前記撮像部が生成した画像データに加え、前記計測部が計測した特性値データに所定のファイル名を付与して記憶し、
前記制御部は、電源がオフされた場合、または前記標本検出部から前記標本台上に前記標本が載置されていない旨の出力信号を受信した場合に、前記記憶部に記憶された同一標本の画像ファイルおよび特性値ファイルのファイル名を、前記識別子生成部が生成した同一の前記識別子を付与したファイル名に変更する制御を行うことを特徴とする請求項１に記載の顕微鏡システム。
【請求項３】
前記識別子は文字列であって、
前記識別子生成部は、前記標本設置ごとに異なる前記識別子を付与することを特徴とする請求項１または２に記載の顕微鏡システム。
【請求項４】
標本を載置する標本台と、
前記標本の観察像を結像する光学系と、
前記光学系が結像した像を撮像し、画像データを生成する撮像部と、
前記撮像部が生成した前記画像データに、所定のファイル名を付与して記憶する記憶部と、
前記標本台上の前記標本の有無を検出する標本検出部と、
識別子を生成する識別子生成部と、
電源がオフされた場合、または前記標本検出部から前記標本台上に前記標本が載置されていない旨の出力信号を受信した場合に、前記識別子生成部が生成した前記識別子を含むフォルダ名のフォルダを前記記憶部内に生成し、前記記憶部に記憶された同一標本の画像ファイルを該フォルダ内に移動する制御を行う制御部と、
を備えることを特徴とする顕微鏡システム。
【請求項５】
前記撮像部が生成した画像データから特性値を計測する計測部をさらに備え、
前記記憶部は、前記撮像部が生成した画像データに加え、前記計測部が計測した特性値データに所定のファイル名を付与して記憶し、
前記制御部は、電源がオフされた場合、または前記標本検出部から前記標本台上に前記標本が載置されていない旨の出力信号を受信した場合に、前記識別子生成部が生成した前記識別子を含むフォルダ名のフォルダを生成し、前記同一標本の画像ファイルおよび特性値ファイルを該フォルダ内に移動する制御を行うことを特徴とする請求項３に記載の顕微鏡システム。
【請求項６】
前記識別子は文字列であって、
前記識別子生成部は、前記フォルダごとに異なる前記識別子を付与することを特徴とする請求項４または５に記載の顕微鏡システム。 
【発明の詳細な説明】
【技術分野】
【０００１】
本発明は、医学、生物学などの分野に利用される顕微鏡システムに関する。
【背景技術】
【０００２】
標本の観察画像を取得したり、取得した画像から所望の特性値を計測する顕微鏡システム、例えば、デジタル顕微鏡システム、ボックス型蛍光撮像装置、自動セルカウンタ等が広く使用されている（例えば、特許文献１または２参照）。これらの顕微鏡システムでは、数多くの検体標本ごとに、多数の観察画像が撮像され、生成した画像ファイルや特性値ファイルが記憶される。記憶された画像ファイルおよび特性値ファイルは、識別のために自動的にファイル名が付与される。
【先行技術文献】
【特許文献】
【０００３】
【特許文献１】特許第４５０４８２４号公報
【特許文献２】特許第４７９６１９３号公報
【発明の概要】
【発明が解決しようとする課題】
【０００４】
上記の顕微鏡システムにおいて、付与されるファイル名は日時等の抽象的な文字列であるため、記憶された多数の画像ファイルおよび特性値ファイルの中から、所望の画像ファイルおよび特性値ファイルを検索するのは非常に煩雑であった。
【０００５】
これに対し、標本の観察時に、検鏡者が標本名および検鏡者名を入力し、観察により得られた画像ファイルおよび特性値ファイルに、入力した標本名および検鏡者名を含むファイル名を付与する顕微鏡システムが提案されている。
【０００６】
しかしながら、検鏡者が標本名および検鏡者名を入力するシステムでは、検鏡者が入力を忘れたり、重複する標本名を付与してしまい、所望のファイルの特定に時間を要することがあった。また、標本名の重複を避けるために複雑な標本名を入力する必要があり、入力操作が煩雑となることがあった。
【０００７】
本発明は、上記に鑑みてなされたものであって、同一標本についての画像ファイルおよび特性値ファイルを、簡易に特定可能な顕微鏡システムを提供することを目的とする。
【課題を解決するための手段】
【０００８】
上述した課題を解決し、目的を達成するために、本発明の顕微鏡システムは、標本を載置する標本台と、前記標本の観察像を結像する光学系と、前記光学系が結像した像を撮像し、画像データを生成する撮像部と、前記撮像部が生成した前記画像データに、所定のファイル名を付与して記憶する記憶部と、前記標本台上の前記標本の有無を検出する標本検出部と、前記ファイル名に付与する識別子を生成する識別子生成部と、電源がオフされた場合、または前記標本検出部から前記標本台上に前記標本が載置されていない旨の出力信号を受信した場合に、前記記憶部に記憶された同一標本の画像ファイルのファイル名を、前記識別子生成部が生成した同一の前記識別子を付与したファイル名に変更する制御を行う制御部と、を備えることを特徴とする。
【０００９】
また、本発明にかかる顕微鏡システムは、上記発明において、前記撮像部が生成した画像データから特性値を計測する計測部をさらに備え、前記記憶部は、前記撮像部が生成した画像データに加え、前記計測部が計測した特性値データに所定のファイル名を付与して記憶し、前記制御部は、電源がオフされた場合、または前記標本検出部から前記標本台上に前記標本が載置されていない旨の出力信号を受信した場合に、前記記憶部に記憶された同一標本の画像ファイルおよび特性値ファイルのファイル名を、前記識別子生成部が生成した同一の前記識別子を付与したファイル名に変更する制御を行うことを特徴とする。
【００１０】
また、本発明にかかる顕微鏡システムは、上記発明において、前記識別子は文字列であって、前記識別子生成部は、前記標本設置ごとに異なる前記識別子を付与することを特徴とする。
【００１１】
また、本発明にかかる顕微鏡システムは、標本を載置する標本台と、前記標本の観察像を結像する光学系と、前記光学系が結像した像を撮像し、画像データを生成する撮像部と、前記撮像部が生成した前記画像データに、所定のファイル名を付与して記憶する記憶部と、前記標本台上の前記標本の有無を検出する標本検出部と、識別子を生成する識別子生成部と、電源がオフされた場合、または前記標本検出部から前記標本台上に前記標本が載置されていない旨の出力信号を受信した場合に、前記識別子生成部が生成した前記識別子を含むフォルダ名のフォルダを前記記憶部内に生成し、前記記憶部に記憶された同一標本の画像ファイルを該フォルダ内に移動する制御を行う制御部と、を備えることを特徴とする。
【００１２】
また、本発明にかかる顕微鏡システムは、上記発明において、前記撮像部が生成した画像データから特性値を計測する計測部をさらに備え、前記記憶部は、前記撮像部が生成した画像データに加え、前記計測部が計測した特性値データに所定のファイル名を付与して記憶し、前記制御部は、電源がオフされた場合、または前記標本検出部から前記標本台上に前記標本が載置されていない旨の出力信号を受信した場合に、前記識別子生成部が生成した前記識別子を含むフォルダ名のフォルダを生成し、前記同一標本の画像ファイルおよび特性値ファイルを該フォルダ内に移動する制御を行うことを特徴とする。
【００１３】
また、本発明にかかる顕微鏡システムは、上記発明において、前記識別子は文字列であって、前記識別子生成部は、前記フォルダごとに異なる前記識別子を付与することを特徴とする。
【発明の効果】
【００１４】
本発明にかかる顕微鏡システムは、標本台から標本を取り外すタイミングで、同一標本について生成した画像ファイルおよび特性値ファイルに、同一の識別子を自動的に付与してグループ化するため、画像ファイルおよび特性値ファイルの特定を簡易に行うことが可能となる。
【図面の簡単な説明】
【００１５】
【図１】図１は、本発明の実施の形態１にかかるボックス型蛍光撮像装置の概略構成を示す概念図である。
【図２】図２は、本発明の実施の形態１にかかるボックス型蛍光撮像装置における標本の撮像工程を説明するフローチャートである。
【図３】図３は、本発明の実施の形態１における画像データのファイル名の付与を説明する図である。
【図４】図４は、本発明の実施の形態１の変形例にかかるボックス型蛍光撮像装置における標本の撮像工程を説明するフローチャートである。
【図５】図５は、本発明の実施の形態１の変形例における画像データのファイル名の付与を説明する図である。
【図６】図６は、本発明の実施の形態２にかかる顕微鏡システムの概略構成を示す概念図である。
【図７】図７は、本発明の実施の形態２にかかる顕微鏡システムにおける標本の撮像工程を説明するフローチャートである。
【図８】図８は、本発明の実施の形態２における画像データのファイル名の付与を説明する図である。
【発明を実施するための形態】
【００１６】
以下に、本発明の実施の形態にかかる顕微鏡システムを図面に基づいて詳細に説明する。なお、この実施例によりこの発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。なお、本発明の顕微鏡システムは、光学顕微鏡と顕微鏡用デジタルカメラと情報処理装置を備える一般的な顕微鏡システムに加え、光学系と画像処理手段とを一体的に構成するデジタル顕微鏡システムのほか、ボックス型蛍光撮像装置、自動セルカウンタを包括するものである。
【００１７】
（実施の形態１）
図１は、本発明の実施の形態１にかかるボックス型蛍光撮像装置の概略構成を示す概念図である。ボックス型蛍光撮像装置１００は、標本１０１を載置する標本台１０２と、標本１０１の観察像を結像する光学系１０９と、光学系１０９が結像した像を撮像し、画像データを生成する撮像部１１０と、標本台１０２上の標本２の有無を検出する標本検出部１２０と、撮像部１１０が生成した画像データを所定のファイル名を付与して記憶する記憶部１３０と、撮像部１１０が生成した画像データを表示する表示部１４０と、各部の操作の入力を受け付ける操作部１５０と、各部を制御する制御部１６０と、を備える。
【００１８】
光学系１０９は、標本１０１からの観察光を集光する対物レンズ１０３と、対物レンズ１０３を観察光軸方向に移動して、標本１０１に焦準を合わせる焦準駆動部１０４と、標本１０１に透過照明する透過照明光学系１０５と、標本１０１に励起光を落射照明する落射照明光学系１０６と、励起光を反射して、蛍光および透過照明光を透過させるミラー１０７と、観察像を結像する結像レンズ１０８と、を備える。また、落射照明光学系１０６の射出側には、シャッタ１０６ａが配置され、撮像する際にのみ標本１０１に励起光を照射し、標本１０１の褪色を予防する。
【００１９】
撮像部１１０は、ＣＣＤ、ＣＭＯＳ等の固体撮像素子を有し、この固体撮像素子の撮像面上に結像される観察像を撮像し、画像データを生成して制御部１６０に出力する。
【００２０】
標本１０１は、標本台１０２上に不図示の手段により固定され、標本検出部１２０により標本１０１が標本台１０２上に載置されているか否かを検出する。標本検出部１２０は、マイクロスイッチであり、接触子１２０ａにより標本１０１の有無を検出する。標本検出部１２０は、標本１０１が標本台１０２から取り外されたことを検出すると、その旨制御部１６０に出力する。標本検出部１２０としては、マイクロスイッチのほか、光電センサを使用してもよい。
【００２１】
記憶部１３０は、ボックス型蛍光撮像装置１００が実行する各種のプログラムや情報、および撮像部１１０が生成した画像データを記憶する。画像データは、所定のファイル名、例えば、撮像した日時（西暦、月日、時刻、および秒）がファイル名として付与されて記憶部１３０に記憶される。また、ボックス型蛍光撮像装置１００には、ＵＳＢなどの外部記憶部１７０が接続可能であって、画像ファイルを外部記憶部１７０に記憶してもよい。
【００２２】
操作部１５０は、ボックス型蛍光撮像装置１００の各部の操作の入力を受け付け、この入力操作に応じた指示信号を後述する制御部１６０へ出力する。表示部１４０は、撮像部１１０が撮像した標本１０１の観察像や、外部記憶部１７０に記憶された画像ファイルを表示する。
【００２３】
制御部１６０は、ＣＰＵを備えたコンピュータ等の処理装置によって実現され、撮像部１１０、焦準駆動部１０４、透過照明光学系１０５、落射照明光学系１０６、シャッタ１０６ａおよび表示部１４０の動作を制御する。
【００２４】
制御部１６０は、撮像部１１０が生成した画像データに識別子を付与する識別子生成部１６１を有する。識別子は、数字やアルファベット等の文字列からなり、同一の標本について撮像された画像データすべてに同一の識別子を付与する。本実施の形態１では、識別子は３ケタの数字であり、識別子生成部１６１はカウンターである。
【００２５】
制御部１６０は、標本検出部１２０から標本台１０２上に標本１０１が載置されていない旨の出力信号を受信した場合に、記憶部１３０に記憶された同一標本の画像ファイルのファイル名を、記憶部１３０が自動的に付与したファイル名に、識別子生成部１６１が生成した同一の識別子を付与したファイル名に変更するよう制御する。これにより、同一の標本１０１について撮像した複数の画像ファイルが同一の識別子で紐付けられ、ユーザが所望の画像ファイルを検索する手間を軽減することができる。
【００２６】
次に、顕微鏡１が実行する処理について説明する。図２は、本発明の実施の形態１にかかるボックス型蛍光撮像装置１００における標本１０１の撮像工程を説明するフローチャートである。図３は、本発明の実施の形態１における画像データのファイル名の付与を説明する図である。
【００２７】
ボックス型蛍光撮像装置１００の電源を入れると（ステップＳ１）、識別子生成部１６１は、識別子（ｎ−１）をインクリメント（ｎ）する（ステップＳ２）。識別子生成部１６１は、ボックス型蛍光撮像装置１００の製造時から加算される識別子を認識している。
【００２８】
電源の入力が確認されると（ステップＳ３：Ｙｅｓ）、標本検出部１２０は標本１０１が標本台１０２に載置されているか確認する（ステップＳ４）。標本１０１が標本台１０２に載置されている場合は（ステップＳ４：Ｙｅｓ）、制御部１６０は、操作部１５０から撮像指示が入力されたか否かを判断する（ステップＳ５）。撮像指示がある場合は（ステップＳ５：Ｙｅｓ）、撮像部１１０は標本１０１の観察像を撮像し、画像データを生成する（ステップＳ６）。撮像指示がない場合は（ステップＳ５：Ｎｏ）、ステップＳ５を繰り返す。画像データは、制御部１６０の制御のもと、記憶部１３０が所定のファイル名を付与して記憶する（ステップＳ７）。記憶部１３０が画像データに付与するファイル名は、記憶部１３０に画像データを記憶した年月日時分秒に観察方法の略号が付加されたものである。ファイル名として、年月日時分秒に観察方法の略号を付与することにより、画像ファイルの特定がより容易になるが、ファイル名は、年月日時分秒のみでもよい。記憶部１３０に画像データが記憶されると（ステップＳ７）、ステップＳ３から繰り返される。
【００２９】
ボックス型蛍光撮像装置１００の電源がオフにされると（ステップＳ３：Ｎｏ）、制御部１６０は、記憶部１３０に新たに記憶されたファイルが有るか否かを確認し（ステップＳ８）、新たに記憶されたファイルが有る場合は（ステップＳ８：Ｙｅｓ）、記憶部１３０に記憶された同一の標本１０１の画像ファイルのファイル名を、記憶部１３０が付与したファイル名に、識別子生成部１６１が生成した同一の識別子（ｎ）を付与したファイル名に変更するよう制御する（ステップＳ９）。
【００３０】
たとえば、図３の工程１に示すように、標本１０１ａについて、記憶部１３０に３つの画像データが記憶されている。１つ目のファイルは、２０１５年０８月１８日０９時３４分４１秒に記憶部１３０に記憶された明視野観察（ＢＦ）の画像データであり、２つ目のファイルは、２０１５年０８月１８日０９時３９分５７秒に記憶部１３０に記憶された蛍光観察（ＦＬ）の画像データであり、３つ目のファイルは、２０１５年０８月１８日０９時４１分１５秒に記憶部１３０に記憶された明視野観察（ＢＦ）の画像データである。
【００３１】
記憶部１３０には、新たに記憶された３つの画像ファイルが記憶されているため、電源がオフにされると（ステップＳ３：Ｎｏ）、３つの画像ファイルのファイル名が、識別子生成部１６１が生成した識別子（ｎ、図３の工程２ではｎは１０３）が付加されたファイル名に変更される（ステップＳ９）。同一の標本１０１ａの３つの画像データのファイル名に、同一の識別子「１０３」が付加されているため、一目でこの３つのファイルが同一の標本１０１の画像データであることが認識でき、画像ファイルの特定が容易となる。
【００３２】
画像ファイルのファイル名が変更された後（ステップＳ９）、制御部１６０は電源が入力されているかを確認し（ステップＳ１０）、電源の入力が確認されると（ステップＳ１０：Ｙｅｓ）、識別子生成部１６１は、識別子（ｎ）をインクリメント（ｎ＋１）し（ステップＳ１１）、ステップＳ４から繰り返される。
【００３３】
一方、新たに記憶されたファイルがない場合は（ステップＳ８：Ｎｏ）、ステップＳ９を省略し、ステップＳ１０から繰り返される。ステップＳ１０で電源のオフを確認すると（ステップＳ１０：Ｎｏ）、工程を終了する。
【００３４】
また、ステップＳ４で標本１０１が標本台１０２に載置されていない場合は（ステップＳ４：Ｎｏ）、制御部１６０は、記憶部１３０に新たに記憶されたファイルが有るか否かを確認し（ステップＳ１２）、新たに記憶されたファイルが有る場合は（ステップＳ１２：Ｙｅｓ）、記憶部１３０に記憶された同一の標本１０１の画像ファイルのファイル名を、記憶部１３０が付与したファイル名に、識別子生成部１６１が生成した同一の識別子（ｎ）を付与したファイル名に変更するよう制御する（ステップＳ１３）。ファイル名の変更は、ステップＳ９と同様にして行われる。
【００３５】
画像ファイルのファイル名が変更された後（ステップＳ１３）、制御部１６０は電源が入力されているかを確認する（ステップＳ１４）。電源の入力が確認されると（ステップＳ１４：Ｙｅｓ）、標本検出部１２０は標本１０１が標本台１０２に載置されているか確認する（ステップＳ１５）。標本１０１が標本台１０２に載置されている場合は（ステップＳ１５：Ｙｅｓ）、識別子生成部１６１は、識別子（ｎ）をインクリメント（ｎ＋１）し（ステップＳ１６）、ステップＳ５から繰り返される。標本１０１が標本台１０２に載置されていない場合は（ステップＳ１５：Ｎｏ）、ステップＳ１４から繰り返される。
【００３６】
新たな標本１０１ｂの標本台１０２への載置が確認され（ステップＳ１５：Ｙｅｓ）、識別子生成部１６１が新たな識別子（ｎ＋１）を生成した後（ステップＳ１６）、新たな標本１０１ｂについて撮像指示が入力されると（ステップＳ５：Ｙｅｓ）、撮像部１１０は標本１０１ｂの観察像を撮像し、画像データを生成する（ステップＳ６）。画像データは、図３の工程３に示すように、所定のファイル名（年月日時分秒＋観察方法の略号）を付与して記憶される（ステップＳ７）。
【００３７】
標本１０１ｂの撮像が繰り返し行われた後、標本１０１ｂが標本台１０２から取り外されるか（ステップＳ４：Ｎｏ）、電源のオフが確認されると（ステップＳ３：Ｎｏ）、新たに記憶された画像ファイルのファイル名を、記憶部１３０が付与したファイル名に、識別子生成部１６１が生成した同一の識別子（ｎ＋１）を付与したファイル名に変更するよう制御する（ステップＳ９、またはステップＳ１３）。
【００３８】
例えば、図３の工程３では、標本１０１ｂについて２つの画像データが記憶部１３０に記憶されているが、標本１０１ｂが標本台１０２から取り外されるか、電源のオフが確認されると、この２つの画像ファイルのファイル名が、識別子生成部１６１が生成した識別子（ｎ＋１、図３の工程４ではｎは１０４）が付加されたファイル名に変更される。
【００３９】
ステップＳ１２において新たに記憶されたファイルがない場合は（ステップＳ１２：Ｎｏ）、ステップＳ３から繰り返され、ステップＳ１４において電源のオフを確認すると（ステップＳ１４：Ｎｏ）、工程を終了する。
【００４０】
本実施の形態１では、同一の標本１０１を撮像した画像ファイルのファイル名に、同一の識別子を自動的に付与しているので、ファイル名等を入力等の操作なしに、画像ファイルの特定が容易となる。また、標本検出部１２０としてマイクロスイッチを使用することにより、マイクロスイッチの接触子のばねを標本１０１の固定手段として使用することができ、ボックス型蛍光撮像装置１００の小型化を図ることができる。なお、上記の実施の形態１は、ボックス型蛍光撮像装置を例として説明したが、これに限定されるものではなく、自動セルカウンタにおいても、同様の構成とすることにより、画像ファイルの特定が容易となるとともに、標本検出部としてマイクロスイッチを使用することにより、マイクロスイッチの接触子のばねを標本の固定手段として使用することができ、小型化が可能となる。
【００４１】
なお、本実施の形態１では、同一の標本１０１を撮像した画像ファイルのファイル名に同一の識別子を付与しているが、識別子生成部１６１が生成した識別子を含むフォルダ名のフォルダを生成し、該フォルダ内に記憶部１３０に記憶された同一の標本１０１の画像ファイルを移動して、画像ファイルを標本１０１毎に個別のフォルダに記憶してもよい。図４は、本発明の実施の形態１の変形例にかかるボックス型蛍光撮像装置における標本の撮像工程を説明するフローチャートである。図５は、本発明の実施の形態１の変形例における画像データのファイル名の付与を説明する図である。
【００４２】
変形例１では、実施の形態１の各工程（ステップＳ９およびステップＳ１３を除く）と同様にして、図４のフローを実施する。標本１０１ｂが標本台１０２から取り外されるか（ステップＳ５４：Ｎｏ）、または電源のオフが確認されると（ステップＳ５３：Ｎｏ）、新たに記憶部１３０に記憶された画像ファイルが有るか否かが確認される（ステップＳ５８、ステップＳ６２）。新たに記憶部１３０に記憶された画像ファイルが有る場合（ステップＳ５８：Ｙｅｓ、ステップＳ６２：Ｙｅｓ）、制御部１６０は識別子生成部１６１が生成した識別子を含むフォルダ名のフォルダを生成し、該フォルダ内に記憶部１３０に記憶された同一の標本１０１の画像ファイルを移動するよう制御する。
【００４３】
たとえば、図５の工程１に示すように、記憶部１３０のテンポラリフォルダに、標本１０１ａの２つの画像データが記憶されている。１つ目のファイルは、２０１５年０８月１９日１３時０４分１８秒に記憶部１３０に記憶された明視野観察（ＢＦ）の画像データであり、２つ目のファイルは、２０１５年０８月１９日１３時０５分３２秒に記憶部１３０に記憶された蛍光観察（ＦＬ）の画像データである。
【００４４】
電源がオフにされるか（ステップＳ５３：Ｎｏ）、または標本１０１ａが取り外されると（ステップＳ５４：Ｎｏ）、制御部１６０は識別子生成部１６１が生成した識別子（ｎ、図５の工程２ではｎは２４３）を含むフォルダ名のフォルダを生成し、該フォルダ内に同一の標本１０１ａの２つの画像ファイルを移動するよう制御する。図５の工程２では、新たな２４３フォルダに、標本１０１ａの２つの画像データを移動する。
【００４５】
新たな標本１０１ｂの標本台１０２への載置が確認され（ステップＳ６５：Ｙｅｓ）、識別子生成部１６１が新たな識別子（ｎ＋１）を生成した後（ステップＳ６６）、新たな標本１０１ｂについて撮像指示が入力されると（ステップＳ５５：Ｙｅｓ）、撮像部１１０は標本１０１ｂの観察像を撮像し、画像データを生成する（ステップＳ５６）。画像データは、所定のファイル名（年月日時分秒＋観察方法の略号）を付与してテンポラリファイルに記憶される（ステップＳ５７）。
【００４６】
標本１０１ｂの撮像が繰り返し行われた後、標本１０１ｂが標本台１０２から取り外されるか（ステップＳ５４：Ｎｏ）、電源のオフが確認されると（ステップＳ５３：Ｎｏ）、制御部１６０は識別子生成部１６１が生成した識別子（ｎ＋１、図５の工程４ではｎ＋１は２４４）を含むフォルダ名のフォルダを生成し、該フォルダ内に記憶部１３０に新たに記憶された同一の標本１０１ｂの画像ファイルを移動するよう制御する（ステップＳ５９、またはステップＳ６３）。
【００４７】
例えば、図５の工程３では、標本１０１ｂについて４つの画像データがテンポラリフォルダに記憶されているが、標本１０１ｂが標本台１０２から取り外されるか、電源のオフが確認されると、この４つの画像ファイルは、識別子生成部１６１が生成した識別子（ｎ＋１、図５の工程４ではｎは２４４）を含むフォルダ名のフォルダに移動される。変形例では、画像ファイルを標本ごとに異なるフォルダに記憶するため、画像ファイルの特定が容易となる。
【００４８】
（実施の形態２）
実施の形態２にかかる顕微鏡システム３００は、光学顕微鏡２００と、顕微鏡用デジタルカメラ２２０と、情報処理装置２７０と、を備える。図６は、本発明の実施の形態２にかかる顕微鏡システム３００の概略構成を示す概念図である。図７は、本発明の実施の形態２にかかる顕微鏡システム３００における標本２０１の撮像工程を説明するフローチャートである。図８は、本発明の実施の形態２における画像データのファイル名の付与を説明する図である。
【００４９】
光学顕微鏡２００は、標本２０１を載置するステージ２０２と、ステージ２０２を観察光軸方向に移動して、標本２０１に焦準を合わせるステージ上下機構２０４と、標本２０１からの観察光を集光する対物レンズ２０３と、対物レンズ２０３が集光した光を反射、または透過するミラー２０７と、観察像を結像する結像レンズ２０８、２０９と、標本２０１に照明光を照射する透過照明光学系２０５と、標本２０１を検出する標本検出部２１０と、を備える。実施の形態２では、標本検出部２１０として、反射型光電センサを使用することができる。
【００５０】
顕微鏡用デジタルカメラ２２０は、カメラヘッド部２２１と、シャッタ２２２とを備える。
【００５１】
情報処理装置２７０は、光学顕微鏡２００が実行する各種のプログラムや情報、および顕微鏡用デジタルカメラ２２０が生成した画像データを記憶する記憶部２３０と、顕微鏡用デジタルカメラ２２０が生成した画像データを表示する表示部２４０と、光学顕微鏡２００および顕微鏡用デジタルカメラ２２０の各部の操作の入力を受け付ける操作部２５０と、光学顕微鏡２００および顕微鏡用デジタルカメラ２２０の各部の動作を制御する制御部２６０と、を備える。
【００５２】
実施の形態２にかかる顕微鏡システムでは、実施の形態１のステップＳ１〜ステップＳ７と同様にして、ステップ１０１〜ステップＳ１０６を実施する。標本２０１を顕微鏡用デジタルカメラ２２０で撮像し、画像データを生成すると（ステップＳ１０５）、制御部２６０の制御のもと、記憶部２３０に所定のファイル名を付与して画像データが記憶される（ステップＳ１０６）。
【００５３】
制御部２６０は、記憶部２３０に記憶した画像データについて特性値の取得指示があるか否かを確認する（ステップＳ１０７）。顕微鏡システム３００で取得される特性値としては、例えば、画像データの輝度プロファイルや、細胞数、細胞死亡率等が例示される。特性値の取得指示がある場合は（ステップＳ１０７：Ｙｅｓ）、特性値取得部２６２により特性値を取得し（ステップＳ１０８）、制御部２６０の制御のもと、記憶部２３０に所定のファイル名を付与して特性値データが記憶される（ステップＳ１０９）。特性値の取得指示がない場合は（ステップＳ１０７：Ｎｏ）、ステップＳ１０２から繰り返す。
【００５４】
電源のオフが確認されると（ステップＳ１０２：Ｎｏ）、新たに記憶部２３０に記憶された画像ファイルおよび特性値ファイルが有るか否かが確認される（ステップＳ１１０）。新たに記憶部２３０に記憶された画像ファイルおよび特性値ファイルが有る場合（ステップＳ１１０：Ｙｅｓ）、制御部２６０は、記憶部２３０に記憶された同一の標本２０１の画像ファイルおよび特性値ファイルのファイル名を、記憶部２３０が付与したファイル名に、識別子生成部２６１が生成した同一の識別子（ｎ）を付与したファイル名に変更するよう制御する（ステップＳ１１１）。
【００５５】
たとえば、図８の工程１に示すように、記憶部２３０に標本２０１ａの２つの画像データと１つの特性値データが記憶されている。１つ目のファイルは、２０１５年０８月１８日０９時３４分４１秒に記憶部２３０に記憶された明視野観察（ＢＦ）の画像データであり、２つ目のファイルは、２０１５年０８月１８日０９時３９分５７秒に記憶部２３０に記憶された特性値データであり、３つ目のファイルは、２０１５年０８月１８日０９時４１分１５秒に記憶部２３０に記憶された明視野観察（ＢＦ）の画像データである。
【００５６】
記憶部２３０には、新たに記憶された２つの画像ファイルと１つの特性値ファイルが記憶されているため、電源がオフにされると（ステップＳ１０２：Ｎｏ）、３つのファイルのファイル名が、識別子生成部２６１が生成した識別子（ｎ、図８の工程２ではｎは１０３）が付加されたファイル名に変更される（ステップＳ１１１）。同一の標本２０１ａの２つの画像データと１つの特性値データのファイル名に、同一の識別子「１０３」が付加されているため、一目でこの３つのファイルが同一の標本２０１ａの画像データであることが認識でき、画像ファイルおよび特性値ファイルの特定が容易となる。
【００５７】
画像ファイルおよび特性値ファイルのファイル名が変更された後（ステップＳ１１１）、制御部１６０は電源が入力されているかを確認し（ステップＳ１１２）、電源の入力が確認されると（ステップＳ１１２：Ｙｅｓ）、識別子生成部２６１は、識別子（ｎ）をインクリメント（ｎ＋１）し（ステップＳ１１３）、ステップＳ１０３から繰り返される。
【００５８】
一方、新たに記憶されたファイルがない場合は（ステップＳ１１０：Ｎｏ）、ステップ１１を省略し、ステップＳ１１２から繰り返される。ステップＳ１１２で電源のオフを確認すると（ステップＳ１１２：Ｎｏ）、工程は終了する。
【００５９】
また、ステップＳ１０３で標本２０１がステージ２０２に載置されていない場合は（ステップＳ１０３：Ｎｏ）、制御部２６０は、記憶部２３０に新たに記憶されたファイルが有るか否かを確認し（ステップＳ１１４）、新たに記憶されたファイルが有る場合は（ステップＳ１１４：Ｙｅｓ）、記憶部２３０に記憶された同一の標本２０１の画像ファイルおよび特性値ファイルのファイル名を、記憶部２３０が付与したファイル名に、識別子生成部２６１が生成した同一の識別子（ｎ）を付与したファイル名に変更するよう制御する（ステップＳ１１５）。ファイル名の変更は、ステップＳ１１１と同様にして行われる。
【００６０】
画像ファイルおよび特性値ファイルのファイル名が変更された後（ステップＳ１１５）、制御部２６０は電源が入力されているかを確認する（ステップＳ１１６）。電源の入力が確認されると（ステップＳ１１６：Ｙｅｓ）、標本検出部２１０は標本２０１がステージ２０２に載置されているか確認する（ステップＳ１１７）。標本２０１がステージ２０２に載置されている場合は（ステップＳ１１７：Ｙｅｓ）、識別子生成部２６１は、識別子（ｎ）をインクリメント（ｎ＋１）し（ステップＳ１１８）、ステップＳ１０４から繰り返す。標本２０１がステージ２０２に載置されていない場合は（ステップＳ１１７：Ｎｏ）、ステップＳ１１６から繰り返される。
【００６１】
新たな標本２０１ｂのステージ２０２への載置が確認され（ステップＳ１１７：Ｙｅｓ）、識別子生成部２６１が新たな識別子（ｎ＋１）を生成した後（ステップＳ１１８）、新たな標本２０１ｂについて撮像指示が入力されると（ステップＳ１０４：Ｙｅｓ）、顕微鏡用デジタルカメラ２２０は標本２０１ｂの観察像を撮像し、画像データを生成する（ステップＳ１０６）。また、記憶部２３０に記憶した画像データについて特性値の取得指示がある場合は（ステップＳ１０７：Ｙｅｓ）、特性値取得部２６２により特性値を取得し（ステップＳ１０８）、制御部２６０の制御のもと、記憶部２３０に所定のファイル名を付与して特性値データが記憶される（ステップＳ１０９）。
【００６２】
標本２０１ｂの撮像が繰り返し行われた後、標本２０１ｂがステージ２０２から取り外されるか（ステップＳ１０３：Ｎｏ）、電源のオフが確認されると（ステップＳ１０２：Ｎｏ）、新たに記憶された画像ファイルおよび特性値ファイルのファイル名を、記憶部２３０が付与したファイル名に、識別子生成部２６１が生成した同一の識別子（ｎ＋１）を付与したファイル名に変更するよう制御する（ステップＳ１１１、またはステップＳ１１５）。
【００６３】
例えば、図８の工程３では、標本２０１ｂについて画像データと特性値データが１つづつ記憶部２３０に記憶されているが、標本２０１ｂがステージ台１０２から取り外されるか、電源のオフが確認されると、この画像ファイルおよび特性値ファイルのファイル名が、識別子生成部２６１が生成した識別子（ｎ＋１、図８の工程４ではｎは１０４）が付加されたファイル名に変更される。
【００６４】
ステップＳ１１４において新たに記憶されたファイルがない場合は（ステップＳ１１４：Ｎｏ）、ステップＳ１０２から繰り返され、ステップＳ１１６において電源のオフを確認すると（ステップＳ１１６：Ｎｏ）、工程を終了する。
【００６５】
実施の形態２では、同一の標本２０１についての画像ファイルおよび特性値ファイルのファイル名に自動的に同一の識別子を付与しているので、ファイル名等を入力等の操作なしに、画像ファイルおよび特性値ファイルの特定が容易となる。
【００６６】
なお、上記の実施の形態２では、光学顕微鏡２００と顕微鏡用デジタルカメラ２２０と情報処理装置２７０とを備える顕微鏡システムを例として説明したが、これに限定されるものではなく、被写界深度の深い光学系とデジタル画像処理手段を一体に構成したデジタル顕微鏡システムや、ボックス型蛍光撮像装置、自動セルカウンタにおいても、同様の構成とすることにより、画像ファイルや特性値ファイルの特定が容易となる。
【００６７】
さらに、上記の実施の形態２では、同一の標本２０１を撮像した画像ファイルおよび特性値ファイルのファイル名に同一の識別子を付与しているが、識別子生成部２６１が生成した識別子を含むフォルダ名のフォルダを生成し、該フォルダ内に記憶部２３０に記憶された同一の標本２０１の画像ファイルおよび特性値ファイルを移動して、画像ファイルおよび特性値ファイルを標本２０１毎に個別のフォルダに記憶してもよい。
【産業上の利用可能性】
【００６８】
以上のように、本発明にかかる顕微鏡システムは、数多くの検体標本の検査に使用される顕微鏡システムに有用である。
【符号の説明】
【００６９】
１００  ボックス型蛍光撮像装置
１０１、２０１  標本
１０２  標本台
１０３、２０３  対物レンズ
１０４  焦準駆動部
１０５、２０５  透過照明光学系
１０６  落射照明光学系
１０７  ミラー
１０８、２０８  結像レンズ
１０９  光学系
１１０  撮像部
１２０、２１０  標本検出部
１３０、２３０  記憶部
１４０、２４０  表示部
１５０、２５０  操作部
１６０、２６０  制御部
１６１、２６１  識別子生成部
１７０  外部記憶部
２００  光学顕微鏡
２０２  ステージ
２０４  ステージ上下機構
２０９  接眼レンズ
３００  顕微鏡システム
【図１】
0006637345.tif 000002
【図２】
0006637345.tif 000003
【図３】
0006637345.tif 000004
【図４】
0006637345.tif 000005
【図５】
0006637345.tif 000006
【図６】
0006637345.tif 000007
【図７】
0006637345.tif 000008
【図８】
0006637345.tif 000009